(57)【要約】【課題】安価且つ簡便な処理を可能とするセレン含有排水の処理技術を提供する。【解決手段】セレン含有排水に硫酸イオンと難溶解性塩を形成する薬剤として塩又は金属イオンを添加した後に、前記セレン含有排水中のセレンを樹脂で吸着除去する。前記薬剤の添加により難溶解性塩が形成された場合には、前記形成された難溶解性塩を前記セレン含有排水から分離除去した後に、前記セレン含有排水中のセレンを樹脂で吸着除去するようにしてもよい。また、前記難溶解性塩を形成する薬剤は、バリウム塩等のアルカリ土類金属塩であってもよいし、金属イオン等のイオンであってもよい。【選択図】図１
2008168273.tif 000002
【特許請求の範囲】
【請求項１】
セレン含有排水に硫酸イオンと難溶解性塩を形成する薬剤を添加した後に、前記セレン含有排水中のセレンを樹脂で吸着除去することを特徴とする、セレン含有排水の処理方法。
【請求項２】
前記薬剤の添加により形成した難溶解性塩を前記セレン含有排水から除去した後に、前記セレン含有排水中のセレンを樹脂で吸着除去することを特徴とする、請求項１に記載のセレン含有排水の処理方法。
【請求項３】
前記難溶解性塩を形成する薬剤がアルカリ土類金属塩であることを特徴とする、請求項１又は２に記載のセレン含有排水の処理方法。
【請求項４】
前記難溶解性塩を形成する薬剤がバリウム塩であることを特徴とする、請求項１〜３のいずれかに記載のセレン含有排水の処理方法。
【請求項５】
前記樹脂がＯＨ型イオン交換樹脂であることを特徴とする、請求項１〜４のいずれかに記載のセレン含有排水の処理方法。
【発明の詳細な説明】
【技術分野】
【０００１】
セレンが溶解しているセレン含有液の処理方法に関し、とくに産業のため発生したセレン含有排水やセレン含有処理水の処理方法に関する。また、セレンが含まれている天然由来の水の処理方法に関する。
【背景技術】
【０００２】
排水中のセレンは、法的に規制された濃度があり、具体的には０．１ｍｇ／Ｌ以下にしなければならない。このためセレンを排水中から除去、分離するためさまざまな排水処理技術が提唱されている。
【０００３】
例えば、特許文献１には、セレンが溶解し、含まれている排水に、薬剤を投入し塩を生成させ、セレンと共沈させることで、ろ過等により排水からセレンを除去する排水処理技術が提唱されている。また、特許文献２には、排水中のセレン（セレンオキシアニオン）を樹脂によって吸着し、分離する排水処理技術が提唱されている。
【特許文献１】特開平６−７９２８６号公報
【特許文献２】特開２００１−３５４４２３２号公報
【発明の開示】
【発明が解決しようとする課題】
【０００４】
しかしながら、上記特許文献１の排水処理技術では、薬剤を投入の際には、セレンを確実に塩と共沈させるため過剰に添加しなければならないため薬剤量が増加し、コストが増大する。また、塩を生成させるためには、薬剤の種類も限られため、安価な薬剤への安易な変更もできないなどコストを削減するための弊害が大きかった。
【０００５】
また、上記特許文献２の排水処理技術では、共沈によらず樹脂等で回収することができるが、セレンにおいては、特別な樹脂が必要であり、専用性が高いためかえって、コストが増大してしまうという問題があった。
【０００６】
一方、排水は、産業上のため発生することが多いが、周辺環境の配慮や、輸送によるコスト増大、事故のリスクを軽減するために、発生した場所にて行う原位置での処理が望まれている。原位置での処理においては、原位置で使用できる土地面積、処理により排ガス、処理排水の成分、または薬剤の種類等が限定されてしまう。このような原位置でも使用可能な設備規模の省面積で可能で、特別な排ガスおよび処理排水を発生しないセレン含有排水の処理技術はなかった。
【０００７】
従って、コストを増大させない観点から安価であり、且つ簡便で原位置での処理を可能とするセレン含有排水の処理技術が望まれていた。
【０００８】
本発明は上記課題に鑑みてなされたものであり、安価且つ簡便な処理を可能とするセレン含有排水の処理技術の提供をその目的とする。
【課題を解決するための手段】
【０００９】
上記課題を解決するために、本発明によれば、セレン含有排水に硫酸イオンと難溶解性塩を形成する薬剤として塩又は金属イオンを添加した後に、前記セレン含有排水中のセレンを樹脂で吸着除去することを特徴とするセレン含有排水の排水処理方法が提供される。
【００１０】
上記処理方法において、前記薬剤としての塩又は金属イオンの添加により形成した難溶解性塩を前記セレン含有排水から除去した後に、前記セレン含有排水中のセレンを樹脂で吸着除去するようにしてもよい。
【００１１】
上記処理方法において、前記難溶解性塩を形成する薬剤がアルカリ土類金属塩であってもよい。
【００１２】
上記処理方法において、前記難溶解性塩を形成する薬剤がバリウム塩であってもよい。
【００１３】
上記処理方法において、前記樹脂がＯＨ型イオン交換樹脂であってもよい。
【発明の効果】
【００１４】
本発明によれば、セレン含有排水中の硫酸イオンの濃度を低減し、その後に樹脂を用いてセレンの除去処理を行うようにしたことによって、特別な樹脂を用いずにセレンを吸着、分離することが可能になる。これにより、セレン含有排水の処理を容易に行うことができるため、セレン含有排水の発生した原位置での処理が可能になるうえに、処理にかかるコストを著しく低減することが可能になる。
【発明を実施するための最良の形態】
【００１５】
以下、図面を参照しながら、本発明の好適な実施形態について説明をする。図１は、本発明の実施の形態に係るセレン含有排水の処理方法の手順の一例を示すフロー図である。
【００１６】
セレンを含む排水（以下、セレン含有排水又は単に排水とも言う）は、産業上発生した排水等であり、この排水の処理を開始する（ステップ０）にあたって、まず、この排水を例えば配管等により集水する（ステップ１）。なお、セレン含有排水は、産業上発生した排水ではなく、自然由来のものであってもよい。セレン含有排水のセレン濃度は１ｍｇ／Ｌ以下の低濃度であってもよいし、１ｍｇ／Ｌを超過する高濃度、例えば２０ｍｇ／Ｌ程度であってもよい。本発明の実施の形態に係る処理方法は、特別な薬剤を用いないため、特に高濃度のセレンの処理において有効である。特に、セレン含有排水中に硫酸が含まれている場合において有効である。
【００１７】
集水したセレン含有排水に、硫酸イオンと反応して該集水に対する難溶解性塩を形成する薬剤として水酸化バリウムを添加する（ステップ２）。この添加の際に、若しくは添加の後に、セレン含有排水を撹拌する。セレン含有排水には、通常、硫酸イオンが含まれているため、水酸化バリウムを添加すると水酸化バリウムと硫酸イオンが反応し、バリウム塩が沈殿する。硫酸イオンと難溶解性塩を形成する薬剤としては、水酸化バリウム以外に塩化バリウム等、その他のバリウム塩を用いてもよいし、さらにはその他のアルカリ土類金属塩を用いてもよい。また、硫酸イオンと難溶解性塩を形成する薬剤として、塩の代りにイオンを用いるようにしてもよい。例えば、金属イオンとしてストロンチウム、金属イオンとして鉛等を用いてもよい。
【００１８】
このようにして集水したセレン含有排水に対する難溶解性塩を形成させることにより、セレン含有排水中の硫酸イオンの濃度が、セレンの濃度に対してモル比で４０倍以下になるように低減するのが望ましい。ただし、セレン含有排水中のセレンの濃度が１ｍｇ／Ｌ以下と低い場合には、セレンが少量であるため、硫酸イオンが多くても処理可能できるので、セレン含有排水中の硫酸イオンの濃度がセレンの濃度に対してモル比で１００倍以下程度であってもよい。また、セレン含有排水に硫酸イオンが含まれていない場合には、バリウム塩の沈殿は生じないため、図１の点線矢印で示すように、後述のステップ４に進み、樹脂を用いてセレンを吸着除去するようにしてもよい。
【００１９】
上記ステップ２の添加により形成された難溶解性のバリウム塩をセレン含有排水から除去する（ステップ３）。本発明の実施の形態では、セレン含有排水をろ過することによって固液分離し、バリウム塩をセレン含有排水から除去している。なお、硫酸イオンとの反応により生成された難溶解性の塩を、セレン含有排水から除去する方法としては、例えば、フィルタープレス、デカンテーション等、任意の方法を用いてよい。
【００２０】
上記ステップ３によりバリウム塩が除去されたセレン含有排水に樹脂を添加し、セレンをこの樹脂に吸着させる（ステップ４）。本発明の実施の形態では、樹脂として例えばイオン交換樹脂を用いている。なお、イオン交換樹脂は、ＯＨ型の弱塩基陰イオンタイプ又は強塩基陰イオンタイプを用いるのが好ましい。
【００２１】
セレン含有排水をろ過し、セレンを吸着させた樹脂をセレン含有排水から除去する（ステップ５）。なお、上記ステップ４、５では、セレン含有排水を樹脂に添加した後にろ過し、セレンを吸着させた樹脂をセレン含有排水から除去する場合について説明したが、セレン含有排水を樹脂塔に通液させることによって、セレン含有排水中のセレンを吸着除去するようにしてもよい。
【００２２】
上記ステップ０〜５の手順により、セレンを低濃度に減少してセレン濃度を法律で規制される値以下にした排水が得られ、セレン含有排水の処理が完了する（ステップ６）。このようにして得られた排水は、その他規制物質等が基準を十分に満たしていれば放水可能となる。
【００２３】
以上の実施の形態によれば、セレン含有排水中のセレンを樹脂で吸着除去する前に、セレン含有排水中に硫酸イオンと難溶解性塩を形成する薬剤として塩（又はイオン）を添加することによって、セレン含有排水が硫酸イオンを含んでいる場合には、硫酸イオンの濃度を低減し、セレンを樹脂に効果的に吸着させることが可能になる。これは、硫酸イオンが樹脂へのセレンの吸着を阻害する要因になっているからである。このように硫酸イオンという阻害要因を除去することにより、樹脂としては、セレン等に特化していない市販の樹脂（例えばイオン交換樹脂等）を用いて処理することが可能になる。このため、排水の処理コストを大幅に低減できる。さらに、本発明の手順によるセレン含有排水の処理は非常に簡便であるため、原位置での処理が可能になる。
【００２４】
以上、添付図面を参照しながら本発明の好適な実施形態について説明したが、本発明は係る例に限定されない。当業者であれば、特許請求の範囲に記載された技術的思想の範疇内において、各種の変更例又は修正例に想到し得ることは明らかであり、それらについても当然に本発明の技術的範囲に属するものと了解される。
【００２５】
上述した実施形態では、塩又はイオンの添加により形成された難溶解性のバリウム塩をセレン含有排水から除去した（上記ステップ３）後に、バリウム塩が除去されたセレン含有排水に樹脂を添加し、セレンをこの樹脂に吸着させ（上記ステップ４）、その後樹脂ごとセレンを除去する（上記ステップ５）場合について説明したが、形成された難溶解性のバリウム塩を除去せず（即ち、上記ステップ３を実行せず）に、セレン含有排水のセレンを樹脂で吸着除去してもよい。
【実施例】
【００２６】
本発明を実施例と比較例を用いて説明する。
【００２７】
下記表１は、本発明の手順によりセレン含有排水を処理した結果（実施例１〜５）と、本発明の手順によらず、樹脂による吸着除去だけでセレン含有排水を処理した結果（比較例１、２）を示している。
【００２８】
【表１】
2008168273.tif 000003
【００２９】
上記表１において、実施例１〜５の「試験条件」は、セレン含有排水を処理するために準備した樹脂の種類（樹脂Ａは、塩素型陰イオン強塩基タイプ；樹脂Ｂは、ＯＨ型陰イオン弱塩基タイプである）、樹脂の量（ｍＬ／５０ｍＬ）、添加するバリウム塩の種類、添加するバリウム塩の量（ｍｍｏｌ／Ｌ）を示している。
【００３０】
上記表１において、実施例１〜５、比較例１、２の「バリウム塩添加前の状態」は、処理を行う前の初期状態のセレン含有排水のｐＨ、セレン濃度（ｍｇ／Ｌ）、硫酸イオン濃度（ｍｇ／Ｌ）を示している。即ち、実施例１〜５の「バリウム添加前の状態」は、セレン含有排水に硫酸イオンと難溶解性塩を形成する薬剤として塩を添加する（図１に示すステップ２）前の状態を示しており、比較例１、２の「バリウム添加前の状態」は、樹脂を用いてセレンを吸着除去する前の状態を示している。
【００３１】
上記表１において、実施例１〜５の「バリウム塩添加後の状態」は、セレン含有排水に硫酸イオンと難溶解性塩を形成する薬剤として塩を添加し、形成された難溶解性塩を除去した（図１に示すステップ２、３）後の状態を示しており、セレン含有排水のｐＨ、セレン濃度（ｍｇ／Ｌ）、硫酸イオン濃度（ｍｇ／Ｌ）を各々示している。
【００３２】
上記表１において、実施例１〜５、比較例１、２の「樹脂によるセレン除去後の結果」は、処理を行った結果のセレン含有排水のｐＨ、セレン濃度（ｍｇ／Ｌ）、硫酸イオン濃度（ｍｇ／Ｌ）を示している。即ち、実施例１〜５の「樹脂によるセレン除去後の結果」は、セレン含有排水に樹脂を添加した後にセレン含有排水をろ過し、セレンを吸着させた樹脂をセレン含有排水から除去した（即ち、図１に示すステップ４、５）後の結果を示しており、比較例１、２の「樹脂によるセレン除去後の結果」は、初期状態のセレン含有排水を樹脂で処理した後の結果を示している。
【００３３】
以下、実施例１〜５、比較例１、２の各々について詳細に説明する。
【００３４】
＜実施例１＞
まず、セレンを含む排水を用意した。上記表１に示すように、この排水のｐＨは７．９、硫酸イオン濃度は２９０．０ｍｇ／Ｌ、セレン濃度は８．５ｍｇ／Ｌであった（以下、ｍｇ/Ｌは各濃度を示す）。この排水を撹拌した状態で水酸化バリウム八水和物（Ｂａ（ＯＨ）２・８Ｈ２Ｏ）を添加した。添加量は１．５ｍｍｏｌ／Ｌとした。その後、ろ過により沈殿物と液とを分離し、ろ過により得た液を試験溶液とした。この試験溶液は、ｐＨ１０．４、硫酸イオン濃度は１６８．１ｍｇ／Ｌ、セレン濃度は７．５ｍｇ／Ｌであった。
【００３５】
この試験溶液５０ｍＬを１００ｍＬのポリエチレン製の密閉容器に貯留した。試験溶液中のセレンを除去するため、吸着材として市販されているイオン交換樹脂（即ち、樹脂Ａ）を０．０５ｍＬ添加した。２０時間振とうして試験溶液と樹脂を接触させた後、ろ過して樹脂と液を分離し、セレン除去処理を終了した。ろ液に含まれるセレンの測定はＩＣＰ−ＨＹＤ（水素化合物発生高周波誘導結合プラズマ発光分光分析装置）を使用し、硫酸イオンはイオンクロマトグラフを使用した。
【００３６】
その結果、ｐＨ１１.３、硫酸イオン濃度８８．７ｍｇ／Ｌ、セレン濃度は３．８ｍｇ/Ｌであった。試験溶液中のセレンの濃度が低減したことから、セレンが樹脂に吸着除去されていることがわかる。樹脂１ｍＬ当たりのセレンの吸着量を算出すると、３．７ｍｇ（セレン濃度の前後差）×０．０５Ｌ（試験溶液の体積）÷０．０５ｍＬ（樹脂の体積）＝３．７ｍｇ/ｍＬであった。
【００３７】
＜実施例２＞
水酸化バリウム八水和物の添加量を３．０ｍｍｏｌ／Ｌにした以外は、実施例１と同様の条件で試験を実施した。水酸化バリウム八水和物添加後の試験溶液は、ｐＨ１１．５、硫酸イオン濃度は５７．４ｍｇ／Ｌ、セレン濃度７．３ｍｇ／Ｌであった。樹脂でセレンを除去した結果、ｐＨ１１．６、硫酸イオン濃度は２７．２ｍｇ／Ｌ、セレン濃度は２．８ｍｇ／Ｌであり、樹脂１ｍＬあたりのセレン吸着量を算出すると４．５ｍｇ／Ｌであった。
【００３８】
＜実施例３＞
水酸化バリウム八水和物（Ｂａ（ＯＨ）２・８Ｈ２Ｏ）の代わりに塩化バリウム二水和物（ＢａＣｌ２・２Ｈ２Ｏ）を使用した以外は実施例１と同様の条件で試験を行った。塩化バリウム二水和物を添加後の試験用液は、ｐＨ７．９、硫酸イオン濃度は１４７．４ｍｇ／Ｌ、セレン濃度は８．３ｍｇ／Ｌであった。樹脂でセレンを除去した結果、ｐＨ９．６、硫酸イオン濃度は１０１．９ｍｇ／Ｌ、セレン濃度は５．８ｍｇ／Ｌであり、樹脂１ｍＬあたりのセレン吸着量を算出すると２．５ｍｇ／Ｌであった。
【００３９】
＜実施例４＞
塩化バリウム二水和物の添加量を３．０ｍｍｏｌ／Ｌとした以外は実施例３と同様の条件で試験を行った。塩化バリウム二水和物を添加後の試験用液は、ｐＨ７．５、硫酸イオン濃度は５．２ｍｇ／Ｌ、セレン濃度は６．８ｍｇ／Ｌであった。樹脂でセレンを除去した結果、ｐＨ９．３、硫酸イオン濃度は２．８ｍｇ／Ｌ、セレン濃度は１．６ｍｇ／Ｌであり、樹脂１ｍＬあたりのセレン吸着量を算出すると５．２ｍｇ／Ｌであった。
【００４０】
＜実施例５＞
樹脂の種類を別のイオン交換樹脂（樹脂Ｂ）とした以外は実施例４と同様の条件で試験を行った。樹脂でセレンを除去した結果、ｐＨ９．２、硫酸イオン濃度は０．７ｍｇ／Ｌ、セレン濃度は１．４ｍｇ／Ｌであり、樹脂１ｍＬあたりのセレン吸着量を算出すると５．４ｍｇ／ｍＬであった。
【００４１】
＜比較例１＞
水酸化バリウムを添加しない以外は実施例１と同様の条件で試験を実施した。樹脂でセレンを除去した結果、ｐＨ９．６、セレン濃度は７．３ｍｇ／Ｌであり、樹脂１ｍＬあたりのセレン吸着量を算出すると１．２ｍｇ／Ｌであった。
【００４２】
＜比較例２＞
塩化バリウムを添加しない以外は実施例５と同様の条件で試験を実施した。樹脂でセレンを除去した結果、ｐＨ９．８、セレン濃度は７．５ｍｇ／Ｌであり、樹脂１ｍＬあたりのセレン吸着量を算出すると、１．０ｍｇ／ｍＬであった。
【００４３】
＜考察＞
実施例１と比較例１を比較することによって、本発明の手順に従ってバリウム塩を添加することで、本発明を用いない場合に比べて樹脂のセレン吸着量を２．１〜４．３倍に高めることができることが分かる。さらに、実施例５と比較例２を比較することによって、樹脂の種類を樹脂Ａから樹脂Ｂに代えた場合においても、本発明の手順に従ってバリウム塩を添加することによって、樹脂のセレン吸着量を５．４倍に高めることができることが分かる。即ち、本発明の効果は任意の種類の樹脂に適用できることが判明した。
【００４４】
また、実施例１と実施例２を比較することによって、水酸化バリウムの添加量を増やすことで樹脂のセレン吸着量を向上できることがわかる。実施例１と実施例３を比較することによって、硫酸イオンと難溶解性塩を形成する薬剤としての塩は、水酸化バリウムでなく、塩化バリウムを用いてもよいことが分かる。実施例３と実施例４を比較することによって、塩化バリウムを用いた場合にも添加量を増やすことで樹脂のセレン吸着量が向上することが分かる。即ち、バリウム塩の種類によらず、樹脂によるセレン除去効率を向上することができることが分かる。
【産業上の利用可能性】
【００４５】
本発明は、産業のため発生したセレン含有排水や、セレン含有処理水の処理に特に有用である。また、天然由来の水にセレンが含まれている場合の処理にも適用可能である。
【図面の簡単な説明】
【００４６】
【図１】本発明の実施の形態に係るセレン含有排水の処理方法の手順の一例を示すフロー図である。
【図１】
2008168273.tif 000004